(57)【要約】【課題】  公知のデバイスと、公知の方法と、公知のデータ記憶媒体とにおける問題点を排除し、改良されたデバイスと、改良されたデータ記憶媒体と、改良された方法とを提供すること。【解決手段】  特定のコンテンツタイプに従ってコンテンツを表すコンテンツ信号(CS)を処理するためのデバイス(1)が提供される。このデバイスには、入力されるコンテンツタイプ選択情報(CSI)にコンテンツタイプが一致しているコンテンツ信号(CS)を、デバイス(1)に入力することのできるコンテンツタイプ選択情報(CSI)を利用して、調整可能に受信するように設計されている受信手段(8)が設けられている。コンテンツタイプ選択情報(CSI)を入力する目的で、データ記憶媒体アクセス手段(11)が設けられており、この手段は、自身からアクセス可能にすることのできるデータ記憶媒体(2)に格納されているコンテンツタイプ選択情報(CSI)にアクセスするように設計されている。
2005519536.tif 000002
【特許請求の範囲】
【請求項１】
特定のコンテンツタイプに従ってコンテンツを表すコンテンツ信号を処理するように設計されているデバイスであって、
前記コンテンツタイプの選択を可能にするコンテンツタイプ選択情報を利用して、当該コンテンツタイプが前記コンテンツタイプ選択情報に一致するコンテンツを表す前記コンテンツ信号を受信するように、調整可能に設計されている受信手段と、
前記受信手段を調整する目的で前記コンテンツタイプ選択情報を入力するように設計されている入力手段と、
を備えている前記デバイスにおいて、
前記入力手段が、データ記憶媒体と対話するように設計されているデータ記憶媒体アクセス手段であって、前記コンテンツタイプ選択情報を前記デバイスに入力することを目的として、前記データ記憶媒体アクセス手段からアクセス可能にすることのできるデータ記憶媒体に格納されている前記コンテンツタイプ選択情報にアクセスするように設計されている、前記データ記憶媒体アクセス手段、を含んでいることを特徴とする、デバイス。
【請求項２】
前記データ記憶媒体アクセス手段が、前記データ記憶媒体に格納されている識別データを認識するように設計されており、当該識別データが、前記コンテンツタイプ選択情報を識別する目的で提供されていることを特徴とする、請求項1に記載のデバイス。
【請求項３】
前記データ記憶媒体アクセス手段が、前記データ記憶媒体の識別データ領域に格納されているコンテンツタイプ選択情報にアクセスするように設計されており、前記識別データ領域が、前記データ記憶媒体を識別する目的で提供されていることを特徴とする、請求項1に記載のデバイス。
【請求項４】
前記データ記憶媒体アクセス手段が、コンテンツタイプ選択情報に割り当てられているリマインダ情報にアクセスするように設計されており、当該リマインダ情報が、前記データ記憶媒体アクセス手段からアクセス可能にすることのできるデータ記憶媒体内に、前記コンテンツタイプ選択情報に加えて格納されており、かつ、当該リマインダ情報が、コンテンツタイプの一部を表しており、当該コンテンツタイプの一部が、前記コンテンツタイプが前記コンテンツタイプ選択情報に一致するコンテンツを表すコンテンツ信号を利用して、前記コンテンツタイプ選択情報を使用して前記受信手段によってすでに受信済みである、ことと、
前記受信手段が、前記リマインダ情報を考慮して、前記コンテンツタイプが前記コンテンツタイプ選択情報に一致しているコンテンツ信号を受信するように設計されていることと、
を特徴とする、請求項1に記載のデバイス。
【請求項５】
前記受信手段が、受信段を備えており、当該受信段が、当該受信段に入力することのできる調整信号を利用してコンテンツ信号を受信するように調整可能に設計されていることと、
前記受信手段が、調整段を備えており、当該調整段が、コンテンツタイプ選択情報と、前記調整段に送ることのできるコンテンツタイプ情報とを利用して、前記受信段用の前記調整信号を生成して送信するように設計されており、当該コンテンツタイプ情報が、前記受信段を利用して受信することのできるコンテンツ信号のコンテンツタイプを表していることと、
を特徴とする、請求項1に記載のデバイス。
【請求項６】
受信することのできるコンテンツ信号を利用して、前記コンテンツタイプ情報を前記調整段に送ることができることを特徴とする、請求項5に記載のデバイス。
【請求項７】
通信段が、前記受信手段に割り当てられており、当該通信段が、コンテンツタイプ情報データ源と通信するように設計されおり、前記コンテンツタイプ情報データ源が、コンテンツタイプ情報を供給するように設けられており、かつ、当該通信段が、前記コンテンツタイプ情報データ源との通信の結果として、前記コンテンツタイプ情報データ源によって供給されるコンテンツタイプ情報を前記調整段に送るように設計されていることを特徴とする、請求項5に記載のデバイス。
【請求項８】
記録手段が設けられており、当該記録手段を利用することにより、記録制御信号を考慮して、前記受信手段を利用して受信することのできるコンテンツ信号を制御式に記録することができることと、
前記受信手段が、受信された前記コンテンツ信号の前記コンテンツの前記コンテンツタイプが前記コンテンツタイプ選択情報に一致している場合に、前記記録制御信号を生成して前記記録手段に送信するように設計されていることと、
を特徴とする請求項1に記載のデバイス。
【請求項９】
前記記録手段が、前記データ記憶媒体アクセス手段によって実現されていることと、
前記データ記憶媒体アクセス手段が、当該データ記憶媒体アクセス手段からアクセス可能にすることができるデータ記憶媒体に前記コンテンツ信号を記録するように設計されていることと、
を特徴とする、請求項8に記載のデバイス。
【請求項１０】
アクセス可能な情報が格納されているデータ記憶媒体において、
前記格納されている情報の少なくとも一部が、コンテンツタイプ選択情報を形成しており、当該コンテンツタイプ選択情報には、前記データ記憶媒体が、コンテンツ信号を処理するためのデバイスのデータ記憶媒体アクセス手段からアクセス可能にされているときに、前記コンテンツタイプ選択情報を前記デバイスに入力する目的で、前記データ記憶媒体アクセス手段を利用してアクセスすることができる、ことを特徴とするデータ記憶媒体。
【請求項１１】
識別データが、前記データ記憶媒体に格納されおり、当該識別データが、前記コンテンツタイプ選択情報を識別する目的で提供されていることを特徴とする、請求項10に記載のデータ記憶媒体。
【請求項１２】
前記コンテンツタイプ選択情報が、前記データ記憶媒体の識別データ領域に格納されており、当該識別データ領域が、前記データ記憶媒体を識別する目的で提供されていることを特徴とする、請求項10に記載のデータ記憶媒体。
【請求項１３】
前記データ記憶媒体が、リマインダ情報を格納する目的で設けられているリマインダデータ領域を備えており、当該リマインダ情報が、コンテンツ信号のコンテンツタイプの一部を表しており、当該コンテンツタイプの一部が、前記コンテンツタイプが前記コンテンツタイプ選択情報に一致するコンテンツを表すコンテンツ信号を利用して、前記コンテンツタイプ選択情報を利用して前記受信手段によって過去にすでに受信済みである、請求項10に記載のデータ記憶媒体。
【請求項１４】
特定のコンテンツタイプに割り当てられているコンテンツを表すコンテンツ信号を処理するためのデバイスにおいて利用可能なコンテンツタイプ選択情報を作成するための方法であって、前記方法が、次のステップ、すなわち、
前記デバイスの入力手段を利用して入力することのできるコンテンツタイプ選択情報を受信するステップであって、前記コンテンツ信号が、入力することのできるコンテンツタイプ選択情報を利用して前記デバイスの受信手段によって調整可能に受信可能であり、当該コンテンツ信号が、当該コンテンツタイプが前記コンテンツタイプ選択情報に一致するコンテンツを表す、前記ステップ、
を有する方法において、
前記デバイスの前記データ記憶媒体アクセス手段)を利用して前記コンテンツタイプ選択情報(CSI)を入力することを目的として、前記データ記憶媒体アクセス手段(11)からアクセス可能にすることのできるデータ記憶媒体(2)に格納されている前記コンテンツタイプ選択情報(CSI)にアクセスされることを特徴とする、方法。
【請求項１５】
前記コンテンツタイプ選択情報(CSI)がアクセスされるとき、前記データ記憶媒体(2)に格納されている識別データ(SI1, SI2)が認識され、当該識別データが、前記コンテンツタイプ選択情報(CSI)を識別する目的で提供されていることを特徴とする、請求項14に記載の方法。
【請求項１６】
前記データ記憶媒体(2)の識別データ領域(13)に格納されている前記コンテンツタイプ選択情報(CSI)がアクセスされ、当該識別データ領域(13)が、前記データ記憶媒体(2)を識別する目的で提供されていることを特徴とする、請求項14に記載の方法。
【請求項１７】
前記リマインダ情報(REM)がアクセスされ、当該リマインダ情報(REM)が、当該リマインダ情報(REM)が、コンテンツタイプの一部を表しており、当該コンテンツタイプの一部が、前記コンテンツタイプが前記コンテンツタイプ選択情報(CSI)に一致するコンテンツを表すコンテンツ信号を利用して、前記コンテンツタイプ選択情報(CSI)を使用してすでに受信済みであることを特徴とする、請求項14に記載の方法。
【発明の詳細な説明】
【技術分野】
【０００１】
本発明は、特定のコンテンツタイプに従ってコンテンツを表すコンテンツ信号を処理するように設計されているデバイスであって、コンテンツタイプの選択を可能にするコンテンツタイプ選択情報を利用して、当該コンテンツタイプが前記コンテンツタイプ選択情報に一致するコンテンツを表す前記コンテンツ信号を受信するように調整可能に設計されている受信手段と、前記受信手段を調整する目的で前記コンテンツタイプ選択情報を入力するように設計されている入力手段と、を備えているデバイス、に関する。
【０００２】
本発明は、さらに、アクセス可能な情報が格納されるデータ記憶媒体に関する。
【０００３】
本発明は、さらに、特定のコンテンツタイプに割り当てられているコンテンツを表すコンテンツ信号を処理するためのデバイスにおいて利用可能なコンテンツタイプ選択情報を作成するための方法であって、前記方法が、次のステップ、すなわち、前記デバイスの入力手段を利用して入力することのできるコンテンツタイプ選択情報を受信するステップであって、前記コンテンツ信号が、入力することのできるコンテンツタイプ選択情報を利用して前記デバイスの受信手段によって調整可能に受信可能であり、当該コンテンツ信号が、当該コンテンツタイプが前記コンテンツタイプ選択情報に一致するコンテンツを表す、前記ステップ、を有する方法、に関する。
【背景技術】
【０００４】
冒頭の段落に記載されているような種類のデバイスと、第二段落に記載されているような種類のデータ記憶媒体と、第三段落に記載されているような種類の方法は、特許文献１から公知である。
【０００５】
この公知の方法を実施することができ、かつ公知のデータ記憶媒体を備えている公知のデバイスは、コンテンツ信号を受信するための携帯デバイスであって、受信されたコンテンツ信号を特定のコンテンツタイプに毎回割り当てることのできる、携帯デバイスである。この公知のデバイスでは、ユーザは、コンテンツ信号の伝送チャネル、または伝送周波数帯域、伝送時刻と、自分の好きなコンテンツタイプとの間の割り当てに関して認識している必要なしに、好きなコンテンツタイプを聴覚的または視覚的に楽しむことができる。この割り当ては、公知のデータ記憶媒体を利用して公知のデバイスに格納されている。公知のデバイスは、ユーザが操作できる入力手段を備えており、デバイスのユーザは、自分の好きなコンテンツタイプを選択する目的で、この入力手段を利用してコンテンツタイプ選択情報を入力することができる。
【０００６】
この公知のデバイスの場合、デバイスのユーザは、オペレータ操作式の入力手段を利用して、相対的に複雑で面倒な方法でコンテンツタイプ選択情報を入力する必要があるという問題がある。デバイスへの入力時に誤りが起こることがあり、この結果としてデバイスが誤動作する、またはまったく動作しないことがあるため、このことは欠点である。さらに述べておくべき点として、この公知のデバイスが自動車の中で使用される場合、操作ミスの結果として、デバイスのユーザはコンテンツタイプ選択情報を何度も入力しようとし、結果的に交通状況に対するユーザの注意力が散漫になるという問題が起こりうる。
【特許文献１】欧州公開公報第0 813 302 A1号
【発明の開示】
【課題を解決するための手段】
【０００７】
本発明の目的は、第一段落に記載されている種類のデバイスと、第三段落に記載されている種類の方法と、第二段落に記載されている種類のデータ記憶媒体とにおける、上述されている問題点を排除することと、改良されたデバイスと、改良されたデータ記憶媒体と、改良された方法とを作成することである。
【０００８】
上述されている目的を達成するため、本発明によると、第一段落に記載されている種類のデバイス内の前記入力手段は、データ記憶媒体と対話するように設計されているデータ記憶媒体アクセス手段であって、前記コンテンツタイプ選択情報を前記デバイスに入力することを目的として、前記データ記憶媒体アクセス手段からアクセス可能にすることのできるデータ記憶媒体に格納されている前記コンテンツタイプ選択情報にアクセスするように設計されている、前記データ記憶媒体アクセス手段、を含んでいる。
【０００９】
上述されている目的を達成するため、本発明によると、第二段落に記載されている種類のデータ記憶媒体において、前記格納されている情報の少なくとも一部が、コンテンツタイプ選択情報を形成しており、当該コンテンツタイプ選択情報には、前記データ記憶媒体が、コンテンツ信号を処理するためのデバイスのデータ記憶媒体アクセス手段からアクセス可能にされているときに、前記コンテンツタイプ選択情報を前記デバイスに入力する目的で、前記データ記憶媒体アクセス手段を利用してアクセスすることができる。
【００１０】
上述されている目的を達成するため、本発明によると、第三段落に記載されている種類の方法において、前記デバイスの前記データ記憶媒体アクセス手段を利用して前記コンテンツタイプ選択情報を入力する目的で、前記データ記憶媒体アクセス手段からアクセス可能にすることのできるデータ記憶媒体に格納されているコンテンツタイプ選択情報にアクセスされる。
【００１１】
本発明による方策を講じることによって、ユーザがコンテンツタイプ選択情報を非常に単純な方法で入力することができ、その一方で、ユーザによる誤操作の可能性が回避されることが、有利に達成される。さらに、デバイスのデータ記憶媒体アクセス手段からアクセス可能にされている特定のデータ記憶媒体と、データ記憶媒体に格納されているコンテンツタイプ選択情報とによって、コンテンツタイプ選択情報が確実に誤りなく入力され、かつ基本的には、コンテンツ信号が確実に誤りなく再現できる、という利点が得られる。
【００１２】
本発明による解決策においては、前記データ記憶媒体アクセス手段が、前記データ記憶媒体に格納されている識別データを認識するように設計されており、当該識別データが、前記コンテンツタイプ選択情報を示す目的で提供されているならば、さらに有利であることが判明した。このことは、データ記憶媒体に格納されているコンテンツタイプ選択情報を明確に識別することができるという利点をもたらす。
【００１３】
本発明による解決策においては、前記データ記憶媒体アクセス手段が、前記データ記憶媒体の識別データ領域に格納されているコンテンツタイプ選択情報にアクセスするように設計されており、前記識別データ領域が、前記データ記憶媒体を識別するために提供されているならば、さらに有利であることが判明した。このことは、データ記憶媒体がデータ記憶媒体アクセス手段からアクセス可能になるとただちに、データ記憶媒体を識別する過程においてコンテンツタイプ選択情報の存在を確認することができるという利点をもたらす。
【００１４】
本発明による解決策においては、前記データ記憶媒体アクセス手段が、コンテンツタイプ選択情報の項目に割り当てられているリマインダ情報 (reminder information) にアクセスするように設計されており、当該リマインダ情報が、前記データ記憶媒体アクセス手段からアクセス可能にすることのできるデータ記憶媒体内に、前記コンテンツタイプ選択情報に加えて格納されており、当該リマインダ情報が、コンテンツタイプの一部を表しており、当該コンテンツタイプの一部が、コンテンツタイプが前記コンテンツタイプ選択情報に一致するコンテンツを表すコンテンツ信号を利用して、前記コンテンツタイプ選択情報を使用して前記受信手段によってすでに受信済みであり、かつ、前記受信手段が、前記リマインダ情報を考慮して、コンテンツタイプが前記コンテンツタイプ選択情報に一致しているコンテンツ信号を受信するように設計されているならば、さらに有利であることが判明した。このことは、例えば、コンテンツ信号が、いくつかのエピソードを有するテレビ番組またはラジオ番組のシリーズ内の一話をそのコンテンツとして含んでいる場合、受信されるのは常に最新のエピソードであることと、過去にすでに受信されたエピソードの再放送の不要な受信を回避することができることとを、高い信頼性で確保することができるという利点をもたらす。
【００１５】
本発明による解決策においては、前記受信手段が、受信段を備えており、当該受信段が、当該受信段に入力することのできる調整信号を利用してコンテンツ信号を受信するように調整可能に設計されており、かつ、前記受信手段が、調整段を備えており、当該調整段が、コンテンツタイプ選択情報と、前記調整段に送ることのできるコンテンツタイプ情報とを利用して、前記受信段用の前記調整信号を生成して送信するように設計されており、当該コンテンツタイプ情報が、前記受信段を利用して受信することのできるコンテンツ信号のコンテンツタイプを表している、ならば、さらに有利であることが判明した。このことは、受信段を利用して受信できるコンテンツ信号の実際に存在するコンテンツタイプを考慮して、受信段が高い信頼性で調整されるという利点をもたらす。
【００１６】
本発明による解決策においては、受信することのできるコンテンツ信号を利用して、コンテンツ情報を前記調整段に送ることができる場合には、さらに有利であることが判明した。このことは、各場合に、受信されるコンテンツ信号に基づいてコンテンツ信号を特定のコンテンツタイプに割り当てることができるという利点をもたらす。このことは、コンテンツタイプがコンテンツタイプ選択情報に一致しているコンテンツ信号を受信する目的で、受信できるすべてのコンテンツ信号を実際のコンテンツタイプに関して検査することによってと、そのコンテンツタイプに関して好ましいコンテンツ信号を選択することによって、受信段を調整することができるというさらなる利点をもたらす。
【００１７】
本発明による解決策においては、通信段が、前記受信手段に割り当てられており、当該通信段が、コンテンツタイプ情報データ源と通信するように設計されおり、前記コンテンツタイプ情報データ源がコンテンツタイプ情報を供給するように設けられており、かつ、当該通信段が、前記コンテンツタイプ情報データ源との通信の結果として、前記コンテンツタイプ情報データ源によって供給されるコンテンツタイプ情報を前記調整段に送るように設計されているならば、さらに有利であることが判明した。このことは、その時点において受信されるコンテンツ信号、またはその時点において受信できるコンテンツ信号に関係なく、特定のコンテンツタイプへのコンテンツ信号の割り当てを確実にすることができるという利点をもたらす。
【００１８】
本発明による解決策においては、記録手段が設けられており、当該記録手段を利用することにより、記録制御信号を考慮して、前記受信手段を利用して受信することのできるコンテンツ信号を制御式に記録することができ、かつ、前記受信手段が、受信された前記コンテンツ信号の前記コンテンツの前記コンテンツタイプが前記コンテンツタイプ選択情報に一致している場合に、前記記録制御信号を生成して前記記録手段に送信するように設計されているならば、さらに有利であることが判明した。このことは、受信されたコンテンツ信号のコンテンツタイプが、データ記憶媒体アクセス手段からアクセス可能にされているデータ記憶媒体に格納されているコンテンツタイプ選択情報に一致している場合にのみ、コンテンツ信号を記録することができるという利点をもたらす。
【００１９】
本発明による解決策においては、前記記録手段が、前記データ記憶媒体アクセス手段によって実現されており、かつ、前記データ記憶媒体アクセス手段が、当該データ記憶媒体アクセス手段からアクセス可能にすることができるデータ記憶媒体に前記コンテンツ信号を記録するように設計されているならば、さらに有利であることが判明した。このことは、コンテンツタイプ選択情報を含んでいるコンテンツ信号のデータ記憶媒体への記録を、受信されたコンテンツ信号のコンテンツタイプがコンテンツタイプ選択情報に一致している場合に行うことができるという利点をもたらす。このことは、デバイスのユーザ、またはデータ記憶媒体の製造業者、またはデバイスのユーザにデータ記憶媒体を販売または貸与する販売会社またはレンタル会社が望まないコンテンツタイプに割り当てられているコンテンツ信号の記録を、信頼性の高い方式で回避することができるという利点をさらにもたらす。このことは、コンテンツタイプに関して特定のコンテンツタイプに一致していないコンテンツ信号の記録を、ユーザが手動または音声制御式のいずれかで誤って命令した場合にさえも、データ記憶媒体にすでに記録されている、特定の好ましいまたは所定のコンテンツタイプに割り当てられているコンテンツ信号が、コンテンツタイプがその特定のコンテンツタイプに一致していないコンテンツ信号によって、意図せずにまたは望まれずに上書きされることを、高い信頼性で回避することができるという利点をさらにもたらす。このことは、例えば、シリーズの一つのエピソードを、ユーザの介入なしに記録することができ、特に、通常はユーザにとって面倒でありかつ通常は複雑で誤りが生じやすいタイマー設定操作が不要になるという利点を、さらにもたらす。
【００２０】
本発明の上述されている観点およびさらなる観点は、以下に記載されている実施例によって詳細に説明されている。
【００２１】
本発明は、図面に示されている二つの実施例を参照しながらさらに説明されている。ただし、本発明はこれらの実施例に限定されない。
【発明を実施するための最良の形態】
【００２２】
図1は、特定のコンテンツタイプに従ってコンテンツを表すコンテンツ信号CSを処理するように設計されているデバイス1を示している。コンテンツ信号CSは、受信および／または再現することができ、該当時には格納することもできる。具体的には、デバイス1は、DVD（digital versatile disc）ビデオレコーダーを実現しており、従って、このデバイス1を利用することにより、DVDによって形成されている本発明によるデータ記憶媒体2にビデオフィルムを記録する、または、この種類のデータ記憶媒体2に記録されているビデオフィルムを再生することができる。
【００２３】
ビデオフィルムは、放送局3から伝送信号Sを利用して放送することができる。放送局3は、この目的のため、伝送デバイス4と、伝送デバイスに接続されている伝送アンテナ構造5とを備えている。伝送信号Sには、伝送チャネルまたは伝送周波数帯域が割り当てられている。伝送信号Sは、特定のコンテンツタイプに従ってコンテンツ（すなわちビデオフィルム）を表すコンテンツ信号CSを提示し、このコンテンツ信号CSは、特定の伝送時刻に放送される。ある時刻に放送されるビデオフィルムに応じて、コンテンツタイプ、すなわちそのビデオフィルムを割り当てることのできる特定のジャンル（ウエスタン、SF、科学、ニュースなど）が定義されている。用語「コンテンツタイプ」が、「スターウォーズ三部作」または「ロードオブザリング」など、ビデオフィルムのシリーズに関連付けられることもあり、従って、コンテンツ信号CSが、一つのエピソード、すなわちそのコンテンツの一部、すなわちシリーズ内の個々のビデオフィルムを表すことがある点は、述べておくべき点である。用語「コンテンツタイプ」が、複数のビデオフィルムに出演している俳優、あるいは複数のビデオフィルムに出演している複数の俳優に関連付けることもでき、この場合、この種類の複数のビデオフィルムの個々のビデオフィルムを最も細かいトピック領域に割り当てることができる点は、述べておくべき点である。さらに、用語「ビデオフィルム」が、放送局3によって放送することのできる、任意の単位のオーディオビジュアル情報を意味する、すなわち、定期的または不定期に放送される生活情報番組、あるいは「Teleb&ouml;rse on NTV」や「The Evening News on RTL」などの録画を含むものとして理解する必要がある点も、述べておくべき点である。
【００２４】
さらに、伝送信号Sは、コンテンツ信号CSに加えて、コンテンツタイプ情報の第一項目CI1を提示することができる。この第一項目は、コンテンツ信号CSのコンテンツが割り当てられているコンテンツタイプを示す。
【００２５】
この時点で述べておくべき点は、図1に示されている放送局3が、複数の放送局を表す。専門家には言うまでもないが、放送局3に割り当てられている信号Sと、他の放送局に割り当てられている複数の信号とを、これらの放送局のそれぞれから同時に放送することができ、この場合、一つのコンテンツタイプまたは複数のコンテンツタイプに割り当てられている複数のコンテンツの複数のコンテンツ信号が、異なる伝送チャネル上で同時に放送される点である。
【００２６】
図1は、コンテンツタイプ情報データ源6も示している。このデータ源は、要求時にコンテンツタイプ情報の第二項目CI2を格納または供給する目的で提供されているサーバを利用して実現されている。この第二項目CI2は、さらに、特定のコンテンツタイプについて、伝送チャネルまたは伝送周波数帯域および伝送時刻と、コンテンツ信号CSとの間の割り当てを有効にする。コンテンツタイプ情報データ源6は、自身に接続されているデータネットワーク7を介して通信するように設計されている。第二コンテンツタイプ情報CI2を要求する目的で、要求情報RIをこのデータネットワーク7を介してコンテンツタイプ情報データ源6に送ることができる。要求情報RIは、基本的に、上述されている割り当てが要求されるコンテンツタイプを表す。コンテンツタイプ情報データ源6は、さらに、要求された第二コンテンツタイプ情報CI2をデータネットワーク7を介して送信するように、設計されている。データネットワーク7は、この実施例の場合には、インターネットによって実現されている。しかしながら、データ通信に適する他の任意のネットワークを使用することもできる点は、述べておくべき点である。
【００２７】
デバイス1は、受信手段8と入力手段9とを備えており、これらの手段8, 9は、以下に詳細に説明されている。
【００２８】
受信手段8は、コンテンツタイプがコンテンツタイプ選択情報CSIに一致しているコンテンツを表すコンテンツ信号CSを、コンテンツタイプの選択を可能にするコンテンツタイプ選択情報CSIを利用して受信するように、調整可能に設計されている。この目的のため、受信手段8は、受信アンテナ構造10に接続されており、伝送アンテナ構造5から放送することのできる伝送信号Sを、この受信アンテナ構造10を利用して受信手段8に送ることができる。受信手段8は、さらに、入力手段9からコンテンツタイプ選択情報CSIを受信するように、設計されている。さらに、受信手段8は、再現手段10に接続されており、従って、受信することのできる伝送信号Sに含まれているコンテンツ信号CSを再現手段10に送信することができる。再現手段10は、コンテンツ信号CSを再現するように設計されている。この実施例の場合には、デバイス1に接続されているテレビ受像機によって実現されている。しかしながら、再現手段10は、デバイス1のコンポーネントによって形成することもできる点は、述べておくべき点である。
【００２９】
入力手段9は、コンテンツタイプ選択情報CSIを入力するようにと、入力されたコンテンツタイプ選択情報CSIを、受信手段8を調整する目的で受信手段8に送信するように設計されている。本発明によると、入力手段9には、データ記憶媒体アクセス手段11が含まれている。このデータ記憶媒体アクセス手段は、データ記憶媒体2と対話するように設計されており、かつ、コンテンツタイプ選択情報CSIをデバイス1に入力する目的で、データ記憶媒体アクセス手段11からアクセス可能にすることのできるデータ記憶媒体2に格納されているコンテンツタイプ選択情報CSIにアクセスするように設計されている。
【００３０】
本発明によるデータ記憶媒体2は、図2に詳しく示されているように、トラック12の第一ポイントP1とトラック12の第二ポイントP2との間にトラック12沿いに情報を格納するように設計されている。この情報は、トラック12に沿って光学式に記録するかまたは読み取ることができる。従って、データ記憶媒体2に格納されている情報には、データ記憶媒体2を光学的に走査することによってアクセスすることができる。トラック12は、基本的に、識別データ領域13と記録データ領域14とに分かれており、これら二つの領域13, 14は、第三ポイントP3によって互いに隔てられている。記録データ領域14は、コンテンツ信号CS（例：ビデオフィルム）を表す記録データRDを格納することを目的とする。識別データ領域13は、データ記憶媒体2を識別するために、または、データ記憶媒体2に格納されている記録データRDを識別および特定するために提供される識別データを格納することを目的とする。この例の場合、データ記憶媒体2には、ビデオフィルムを表す記録データRDが、第三ポイントP3と第四ポイントP4との間にすでに記録されている。
【００３１】
本発明によると、格納されている情報の少なくとも一部は、コンテンツタイプ選択情報CSIを形成している。データ記憶媒体2がデバイス1のデータ記憶媒体アクセス手段11からアクセス可能にされているとき、図1に示されているように、コンテンツ信号CSを処理するため、コンテンツタイプ選択情報CSIをデバイス1に入力する目的で、データ記憶媒体アクセス手段11を利用してトラック12を光学的に走査することによってコンテンツタイプ選択情報CSIにアクセスすることができる。コンテンツタイプ選択情報CSIは、識別データ領域13に格納されている。しかしながら、述べておくべき点として、コンテンツタイプ選択情報CSIは、記録データ領域14に格納する、または、一部を識別データ領域13に格納し、一部を記録データ領域14に格納することもできる。
【００３２】
データ記憶媒体2には、第一識別データSI1と第二識別データSI2とがさらに格納されている。これらのデータは、コンテンツタイプ選択情報CSIを示す目的で提供されている。第一識別データSI1は、識別データ領域13の中の第五ポイントP5と第六ポイントP6との間にトラック12に沿って格納されており、コンテンツタイプ選択情報CSIの先頭を示している。第二識別データSI2は、識別データ領域13の中の第七ポイントP7と第八ポイントP8との間にトラック12に沿って格納されており、コンテンツタイプ選択情報CSIの最後を示している。
【００３３】
データ記憶媒体2には、リマインダデータ領域15が設けられており、この領域は、識別データ領域13の中のトラック12に沿った第九ポイントP9と第七ポイントP7との間に位置している。リマインダデータ領域15は、リマインダ情報REMを格納する目的で設けられている。リマインダ情報REMは、コンテンツタイプの一部を表している。すなわち、図1に示されているように、データ記憶媒体2に格納されているコンテンツタイプ選択情報CSIにコンテンツタイプが一致しているコンテンツを表すコンテンツ信号CSを利用して、データ記憶媒体2に格納されているコンテンツタイプ選択情報CSIを使用してデバイス1の受信手段8によって過去にすでに受信された部分を表している。この状況は、専門家には周知である（従って図1には示されていない）データ記憶媒体2のディレクトリと混同してはならない。ディレクトリは、データ記憶媒体2に現在格納されている記録データRDのコンテンツを表すものとして知られている。この例の場合、データ記憶媒体2のディレクトリは本発明には関与しないため、これ以上の詳細は示さない。この例の場合、リマインダ情報REMは、コンテンツタイプ選択情報CSIの構成要素を形成している。しかしながら、リマインダデータ領域15は、二つの識別データSI1およびSI2の外側、または記録データ領域14の中に位置させることもできる点は、述べておくべき点である。
【００３４】
データ記憶媒体アクセス手段11は、アクセスシャフト(accessing shaft) 11Aを備え、かつこのアクセスシャフト11Aは、データ記憶媒体2と対話するために、データ記憶媒体2へのアクセスを可能にするように設計されている。図1に矢印Wを用いて記号的に示されているように、データ記憶媒体2は、例えば、ユーザによってアクセスシャフト11Aに挿入されている状態において、データ記憶媒体アクセス手段11からアクセス可能にすることができる。データ記憶媒体アクセス手段11は、駆動手段（図1には示されていない）をさらに備えており、この駆動手段は、アクセス可能にされているデータ記憶媒体2を回転式に駆動するように設計されている。
【００３５】
データ記憶媒体アクセス手段11は、データ記憶媒体2を光学的に走査するように設計されている光学走査手段（図1には示されていない）をさらに備えている。この走査手段は、さらに、記録する情報を表す記録情報WIを受信するように、かつこの情報を格納する目的で、この記録情報WIをデータ記憶媒体2に書き込むように、設計されている。走査手段は、さらに、データ記憶媒体2に格納されている情報を読み取るように、かつこの格納されている情報を表す読み出し情報PIを生成して送信するように、設計されている。
【００３６】
データ記憶媒体アクセス手段11は、データ記憶媒体2に格納されている識別データSI1およびSI2を認識し、データ記憶媒体2の識別データ領域13に格納されているコンテンツタイプ選択情報CSIにアクセスするように設計されている。この目的のため、データ記憶媒体アクセス手段11は、アクセスを制御するように、すなわち、走査手段を制御するように設計されている、アクセス制御段16を備えている。従って最初に、データ記憶媒体アクセス手段11からアクセス可能にされているデータ記憶媒体2を、その識別データ領域13の中についてトラック12に沿って走査することができる。次いで、識別データ領域13のコンテンツを表す読み出し情報PIを走査手段からアクセス制御段16に送信することができる。アクセス制御段16は、さらに、記録情報WIの中の識別データSI1およびSI2を認識し、読み出し情報PIからコンテンツタイプ選択情報CSIを取り出し、そのコンテンツタイプ選択情報CSIを受信手段8に送信するように、設計されている。
【００３７】
データ記憶媒体アクセス手段11は、さらに、コンテンツタイプリマインダ情報REMにアクセスするように、設計されている。このリマインダ情報REMは、データ記憶媒体2の中にコンテンツタイプ選択情報CSIと共に格納されており、コンテンツタイプ選択情報CSIに割り当てられている。この目的のため、アクセス制御段16は、読み出し情報PIの中のリマインダ情報REMを認識し、読み出し情報PIからリマインダ情報REMを取り出し、そのリマインダ情報REMを受信手段8に送信するように、設計されている。
【００３８】
データ記憶媒体アクセス手段11は、さらに、受信されたコンテンツ信号CSを、自身からアクセス可能にすることのできるデータ記憶媒体2に、記録データRDの形式で記録データ領域14の中にトラック12に沿って記録するように、設計されている。この文脈において、データ記憶媒体アクセス手段11は、デバイス1の記録手段11Bを実現している。この記録手段11Bを利用することにより、受信手段8を利用して受信することのできるコンテンツ信号CSを、記録制御信号RCSを考慮して、制御式にデータ記憶媒体2に記録することができる。この目的のため、アクセス制御段16は、さらに、記録データRDを受信するようにと、記録制御信号RCSが存在するときに記録データRDを格納する目的で、記録データRDを表す記録情報WIを生成して走査手段に送信するように、設計されている。
【００３９】
完全を期すため、ここで、データ記憶媒体アクセス手段11は、再現手段11Cを実現しており、この再現手段11Cは、記録データ領域14に格納されている記録データRDを再現するように設計されている点は、述べておくべき点である。この目的のため、アクセス制御段16は、さらに、読み出し情報PIを生成する目的で走査手段を制御するように設計されており、読み出し情報PIは、この実施例の場合には、記録データ領域14に格納されている記録データRDを表す。アクセス制御段16は、この読み出し情報PIを表す再現データWDを送信するように、設計されている。
【００４０】
デバイス1は、信号/データ変換手段18をさらに備えており、この手段は、受信手段8によって送信することのできるコンテンツ信号CSを受信するようにと、そのコンテンツ信号CSを記録データRDに変換するように、設計されている。信号/データ変換手段18は、さらに、記録データRDをデータ記憶媒体アクセス手段11に送信するように、設計されている。
【００４１】
デバイス1は、データ/信号変換手段19をさらに備えており、この手段は、データ記憶媒体アクセス手段11によって送信することのできる再現データWDを受信するようにと、その再現データWDを、再現データWDを表す再現信号WSに変換するように、設計されている。データ/信号変換手段19は、さらに、再現信号WSを再現手段10に送信するように、設計されている。
【００４２】
データ記憶媒体アクセス手段11を利用して入力することのできるコンテンツタイプ選択情報CSIに一致するコンテンツを表すコンテンツ信号CSを受信する目的で、受信手段8は、調整式の受信段20を備えている。この受信段20は、ここに送ることのできる調整信号Cを利用して、この種類のコンテンツ信号CSを受信するように設計されている。受信段20は、電子的に調整可能な周波数同調デバイス（短縮して同調器とも称される）によって実現されている。
【００４３】
受信手段8は、調整段21をさらに備えており、この調整段21は、データ記憶媒体アクセス手段11を利用して入力することのできるコンテンツタイプ選択情報CSIと、調整段に送ることのできる第一コンテンツタイプ情報CI1または第二コンテンツタイプ情報CI2とを利用して、受信段20用の調整信号Cを生成して送信するように設計されている。
【００４４】
第一コンテンツタイプ情報CI1の場合には、調整段21は、受信段20からの第一コンテンツタイプ情報CI1を受信するようにと、調整信号Cを生成する目的で、第一コンテンツタイプ情報CI1を処理するように設計されている。このことは、受信された信号Sがコンテンツ信号CSと一緒に第一コンテンツタイプ情報CI1を提示している場合、信号Sを受信した時点でただちに、受信された現在のコンテンツ信号CSが表すコンテンツのコンテンツタイプが、データ記憶媒体アクセス手段11を利用して入力されたコンテンツタイプ選択情報CSIに一致するか否かに関する判断を、調整段21において行うことができるため、有利である。一致していない場合、調整段21は、一致の状態に達するまで調整信号Cを修正するように設計されている。
【００４５】
第二コンテンツタイプ情報CI2を送る目的で、デバイス1は、通信段23を備えている。この通信段23は、受信手段8に割り当てられており、かつ、コンテンツタイプ情報データベース6と通信するように設計されており、かつ、コンテンツタイプ情報データベース6との通信の結果として、コンテンツタイプ情報データベース6によって供給された第二コンテンツタイプ情報CI2を調整段21に送るように設計されている。このことは、受信された信号Sがコンテンツ信号CS以外に第一コンテンツタイプ情報CI1を提示しておらず、従って、信号Sを受信した時点でただちに、一致しているか否かに関する決定を調整段2において行うことができない場合に、有利である。この場合、決定を行う目的で、第二コンテンツタイプ情報CI2を使用することができる。この目的のため、調整段21は、さらに、受信された信号Sの中に第一コンテンツタイプ情報CI1が存在しないことを認識するように設計されている。調整段21は、要求情報RIを生成して通信段23に送信するように、設計されている。この通信段23には、コンテンツタイプ情報データ源6との通信の結果として、第二コンテンツタイプ情報CI2を送ることができる。この場合、要求情報RIは、基本的に、受信された現在の伝送チャネルと、受信された信号Sに含まれている放送局識別子（該当時）とを表す。
【００４６】
しかしながら、調整段21は、受信された現在の信号Sに関係なく、要求情報RIを生成するように設計されている。この場合、要求情報RIは、一つ以上の放送局の番組予定に関連する。このことは、データ記憶媒体アクセス手段11を利用して入力することのできるコンテンツタイプ選択情報CSIに関して調整信号Cを事前に計画できるという利点をもたらす。通信段23は、モデムを利用して実現されている。
【００４７】
受信手段8は、さらに、リマインダ情報REMを考慮して、コンテンツタイプがコンテンツタイプ選択情報CSIに一致するコンテンツを表すコンテンツ信号CSを受信するように、設計されている。この目的のため、調整段21は、データ記憶媒体アクセス手段11からリマインダ情報REMを受信し、かつ、調整信号Cの生成時にリマインダ情報REMを考慮するように、設計されている。調整段21は、データ記憶媒体2に格納されているコンテンツタイプ選択情報CSIを利用して過去にすでに受信された、リマインダ情報REMによって表されるコンテンツタイプの一部に相当するコンテンツを表すコンテンツ信号CSを受信することを、高い信頼性で防ぐ調整信号C、を生成するように設計されている。このことは、過去にすでに一度受信したシリーズ内の個々のエピソードなど、特定のコンテンツタイプに割り当てられているビデオフィルムを繰り返して受信することを、高い信頼性で防ぐことができるという利点をもたらす。
【００４８】
次に、デバイス1の動作モードが、図1によるデバイス1の応用例を参照しながら、以下に説明される。この応用例によると、デバイス1のユーザはDVD形式のデータ記憶媒体2を販売店で購入し、このデータ記憶媒体2には、テレビシリーズ「Kommissar Rex」（主演Tobias Moretti）のパイロットフィルムが、第三ポイントP3と第四ポイントP4との間にトラック12に沿って記録されているものと想定する。識別データ領域13には、データ記憶媒体2をDVDとして識別するためと、パイロットフィルムおよびトラック12沿いのその位置とを識別するための情報が含まれている。データ記憶媒体2には、二つの識別データSI1とSI2の間に、テレビシリーズ「Kommissar Rex」をコンテンツタイプとして表すコンテンツタイプ選択情報CSIがさらに格納されている。さらに、コンテンツタイプ選択情報CSIを利用してデバイス1によってビデオフィルムがまだ受信されていないため、データ記憶媒体2の購入時点においてリマインダデータ領域15にはリマインダ情報REMが提示されていないものと想定する。
【００４９】
データ記憶媒体2は、ユーザによってデータ記憶媒体アクセス手段11からアクセス可能にされる。その後、識別データ領域12に格納されているデータ記憶媒体2を識別するための情報を、読み出し情報PIの形式において読み出すため、データ記憶媒体2の最初の光学的走査が、データ記憶媒体アクセス手段11によって行われる。
【００５０】
次いで、データ記憶媒体2に格納されているコンテンツタイプ選択情報CSIを利用可能にするために、本発明による方法がデバイス1によって実行される。この方法は、デバイス1の入力手段9を利用して入力することのできるコンテンツタイプ選択情報CSIを受信するステップ、を含んでいる。この方法では、コンテンツタイプ選択情報CSIを入力する目的で、データ記憶媒体アクセス手段11からアクセス可能にされているデータ記憶媒体2に格納されているコンテンツタイプ選択情報CSIへのアクセスが、デバイス1のデータ記憶媒体アクセス手段11を利用して行われる。すなわち、データ記憶媒体2の識別データ領域13に格納されているコンテンツタイプ選択情報CSIへのアクセスが行われる。このコンテンツタイプ選択情報CSIは、二つの識別データSI1およびSI2によって限定されている。コンテンツタイプ選択情報CSIへのアクセスが行われると、アクセス制御段16は、データ記憶媒体2に格納されているこの識別データSI1およびSI2を認識し、次いで、読み出し情報PIからコンテンツタイプ選択情報CSIを取り出す。
【００５１】
次いで、コンテンツタイプ選択情報CSIが、アクセス制御段16から受信手段8の調整段21に送信される。調整段21は、最初に、伝送信号Sを利用して受信された第一コンテンツタイプ情報CI1を受信し、この第一コンテンツタイプ情報CI1がコンテンツタイプ選択情報CSIに一致するかを調べる。
【００５２】
この実施例の場合においては、三つの異なる放送局のそれぞれが、それぞれに割り当てられている伝送チャネルにおいて伝送信号Sを放送するものと想定する。この伝送信号Sは、受信アンテナ構造10を利用して、デバイス1の受信手段8に送ることができる。図4は、第一放送局BS1と、第二放送局BS2と、第三放送局BS3について、テレビシリーズ「Kommissar Rex」の中のエピソードの、それぞれ時間軸tに沿った開始時刻を示している。このテレビシリーズの第一エピソードE1は、タイトルが「Flucht in den Tod」である。第二エピソードE2は、タイトルが「Der Tod der alten Dame」である。第三エピソードE3は、タイトルが「T&ouml;dliche Teddys」である。エピソードE1〜E3のそれぞれの放送の開始時刻は、時間軸tに沿って時刻T1〜T7に入力されている。エピソードE1〜E3の再放送は、WE1〜WE3によって識別されている。さらに、D1〜D5によって識別されている五つの時間位相(time phase)が時間軸t沿いに入力されており、それぞれ一日を表す。
【００５３】
従って、第一エピソードE1の最初の放送は、第一放送局BS1によって第一日D1の夕方の時刻T1に開始される。第一エピソードE1の再放送WE1の放送は、この第一放送局BS1によって第二日D2の朝の時刻T2に開始される。このテレビシリーズの第二エピソードE2の放送は、第一エピソードE1の時刻T1から三日の時間間隔の後、第一放送局BS1によって時刻T6に開始される。
【００５４】
第二エピソードE2の放送は、第二放送局BS2によって第二日D2の夕方の時刻T3に開始される。この第二エピソードE2の再放送WE2の放送は、第四日D4の朝の時刻T5に開始される。
【００５５】
第一エピソードE1の放送は、第三放送局BS3によって第三日D3の夕方の時刻T4に開始される。第二エピソードE2の放送は、第四日D4の夕方の時刻T6に開始され、第三エピソードE3の放送は、第五日の夕方の時刻T7に開始される。
【００５６】
時刻T0において、データ記憶媒体2が、デバイス1のデータ記憶媒体アクセス手段11からアクセス可能にされる。この時刻T0において、受信段20は、放送局BS1からの伝送信号Sを受信するように調整される。この時刻T0においては、放送局BS1によって伝送信号Sと一緒に伝送される第一コンテンツタイプ情報CI1がコンテンツタイプ選択情報CSIに一致しないため、調整段21によって要求情報RIが生成され、通信段23に送信される。次いで、通信段23は、データネットワーク7を介してコンテンツタイプ情報データ源6と通信し、この通信の結果として、第二コンテンツタイプ情報CI2を調整段21に送る。第二コンテンツタイプ情報CI2は、コンテンツタイプがコンテンツタイプ選択情報CSIに一致するコンテンツを表すコンテンツ信号CSを受信段20を利用して受信することができるように、調整信号Cの計画を行えるように調整段21において必要な情報を提示している。具体的には、問題の放送局BS1〜BS3に関するすべての情報と、問題の時刻T1〜T7とが、コンテンツタイプ情報CI2を利用して調整段21に送られる。その後、調整信号Cの計画が、以下に説明するように調整段21によって行われる。すなわち、時刻T1に、第一放送局BS1によって放送される信号Sが受信されるように受信段20が調整される。この調整に続いて、矢印25によって示されているように、時刻T3に、第二放送局BS2によって放送される伝送信号Sが受信されるように受信段20が調整される。この調整に続いて、矢印26によって示されているように、時刻T7に、第三放送局BS3によって放送される伝送信号Sが受信されるように受信段20が調整される。
【００５７】
本発明によるデバイス1を利用してのこの計画の方策によって、ユーザの側の何らの介入なしに、確実に、テレビシリーズ「Kommissar Rex」の最新のエピソードE1, E2, E3が常にユーザに供給され、再放送WE1〜WE2の受信が抑制される。ただしこの例の場合には、五日間D1〜D5の間にデータ記憶媒体2がデータ記憶媒体アクセス手段11から取り出されないことが想定されている。さらに、時刻T3と時刻T7の間のエピソードE1およびE2の放送の受信が確実に防止される。
【００５８】
例えば、時刻T0Aにおいてデータ記憶媒体2がデータ記憶媒体アクセス手段11から取り出されるという可能性に対処するため、データ記憶媒体アクセス手段11を利用してデータ記憶媒体2のリマインダデータ領域15の中にリマインダ情報REMが格納されるようにする方策が、デバイス1において講じられている。このリマインダ情報は、「Flucht in den Tod」というタイトルの第一エピソードが、データ記憶媒体2に格納されているコンテンツタイプ選択情報CSIを利用して、過去に（この例の場合には時刻T1に）デバイス1によってすでに受信されたことを示す。この時点で述べておくべき点として、適切なリマインダ情報REMが、エピソードE1〜E3のうちの一つを受信した直後、または受信中、または受信開始時にデータ記憶媒体2に格納されるように方策を講じることもできる。
【００５９】
時刻T0Bに、すなわち第一エピソードE1の再放送WE1が時刻T2に放送される前に、データ記憶媒体2がデータ記憶媒体アクセス手段11から再びアクセス可能にされるという可能性に対処するため、本発明による方法には、この時点ですでに利用可能であるリマインダ情報REMにアクセスされるように、コンテンツタイプ選択情報CSIを利用可能にする方策が講じられている。データ記憶媒体2が再びアクセス可能にされたため、前述した手順と同様の手順によって、調整信号Cの新たな計画が調整段21により行われる。しかしながら、この場合には、アクセス制御段16によって調整段21に送信されるリマインダ情報REMが考慮されて、時刻T2において第一エピソードE1の再放送WE1を無視し、かつ第二放送局BS2に割り当てられている伝送信号Sを時刻T3に受信するように調整段20が調整される。受信段20は、さらにら、第三放送局BS3に割り当てられている信号Sを時刻T7に受信するようにさらに調整される。これによって、個々のエピソードE1〜E3の不要な再放送WE1〜WE3がデバイス1によって受信されないことが、ユーザに対して高い信頼性で確保される。この状況は、たとえしばらくの間、すなわちこの例の場合には時間間隔T0A〜T0Bの間、データ記憶媒体2がデータ記憶媒体アクセス手段11からアクセス可能にされない場合にも、有利によく起こる。
【００６０】
デバイス1には、コンテンツタイプ選択情報CSIを利用して受信されるエピソードE1、またはE2、E3が、デバイスのユーザが望む場合に、データ記憶媒体アクセス手段11を利用してデータ記憶媒体2に記録されるようにする方策がさらに講じられている。この目的のため、デバイス1は、データ記憶媒体2がアクセス可能になった後、デバイス1のユーザによって記録モードにおいて従来の方式で制御される。この記録モードにおいては、受信されるコンテンツ信号CSのコンテンツに割り当てられているコンテンツタイプがコンテンツタイプ選択情報CSIに一致する場合には、記録制御信号RCSが調整段21によってデータ記憶媒体アクセス手段11に送信される。データ記憶媒体アクセス手段11のアクセス段16が記録制御信号RCSを受信するとただちに、信号/データ変換手段18を利用して生成される記録データRDが、データ記憶媒体アクセス手段11の光学走査手段に記録情報WIの形式で送信され、データ記憶媒体2のトラック12の第四ポイントP4より後ろの空き領域の一つに、走査手段によって記録される。この例の場合には、それぞれの場合に記録されるエピソードを識別する入力が、データ記憶媒体2のリマインダデータ領域15に再び書き込まれる。このことは、特に、一種類のみのコンテンツタイプのビデオフィルムのアーカイブをデータ記憶媒体2に構築することができるという利点をユーザに提供する。
【００６１】
図3に示されているデバイス1は、オーディオ記録/再現デバイスによって実現されている。このデバイスは、オーディオ情報を受信して記録するかまたは再現し、かつこの種類のオーディオ情報を再現手段10に送信するように、設計されている。この実施例の場合には、再現手段10は、電力増幅器と、電力増幅器に接続されているスピーカーとによって実現されている。図3に示されているデバイス1の受信段20は、図1に示されているデバイス1とは対照的に、データネットワーク7を介してコンテンツ信号CSを受信するように設計されている。この実施例の場合には、データネットワーク7は、テレビ番組およびラジオ番組と、インターネットに関連するデータとを同時に伝送することのできるケーブルテレビネットワークによって実現されている。放送局3は、このデータネットワーク7に接続されていて、かつコンテンツ信号CSをデータネットワーク7を介して放送するように設計されている。
【００６２】
デバイス1は、記録手段24を実現するハードディスクを備えている。このハードディスクは、記録データRDを格納し、かつ再現データWDを再現するように設計されている。格納手段24は、記録手段11Bを実現していて、かつ記録制御信号RCSを受信するように設計されている。記録制御信号RCSの結果として、受信手段8を利用して受信することのできるコンテンツ信号CSを、制御式にハードディスクに記録することができる。
【００６３】
この実施例の場合には、データ記憶媒体アクセス手段11は、コンテンツタイプ選択情報CSIをデバイス1に入力する目的で、データ記憶媒体2に格納されているコンテンツタイプ選択情報CSIに非接触式にアクセスするように設計されている。データ記憶媒体アクセス手段11は、この目的のため、赤外線によって通信するように設計されているアクセス手段インタフェース（図3には示されていない）を備えている。
【００６４】
この実施例の場合には、データ記憶媒体2は、非接触通信のための手段を備えている半導体メモリを利用して実現されている。この目的のため、データ記憶媒体2は、赤外線によって通信するように設計されているデータ記憶媒体インタフェース（図3には示されていない）を備えている。このインタフェースは、アクセス手段インタフェースと対話するように設計されている。
【００６５】
この実施例の場合にも、このことは、単にデバイス1のデータ記憶媒体2をデータ記憶媒体アクセス手段11からアクセス可能にすることによって、コンテンツタイプ選択情報CSIを入力することができるという利点をもたらす。
【００６６】
本発明の第二実施例によるデータ記憶媒体2の設計の結果として得られるさらなる利点として、このデータ記憶媒体2を相対的に小型のハンディな設計とし、例えば、キーホルダーなどとして適するものにすることができ、従って、家の中のみならず、自動車の中または携帯デバイスにおいても使用することができる。このことは、コンテンツ信号CSを受信するように設計されているデバイスを、ユーザが自分のニーズに、すなわち、好きなコンテンツタイプに極めて簡単に合わせることができるという、ユーザにとっての利点をもたらす。
【００６７】
非接触通信に関連してさらに述べることができる点として、容量性手段または誘導性手段に基づく通信を提供することもできる。
【００６８】
上記の実施例においては、データ記憶媒体2に格納されている一つのコンテンツタイプ選択情報CSIが常に参照されている点は、述べておくべき点である。当然ながら、複数のコンテンツタイプ選択情報CSIをデータ記憶媒体2に格納することもできる。さらに、複数のデータ記憶媒体2に同時に、または連続的にアクセスするようにデータ記憶媒体アクセス手段11を設計することができる点も、述べることができる点である。これに関連してさらに述べることができる点は、一つまたは複数のデータ記憶媒体2に格納されているコンテンツタイプ選択情報CSIの複数の項目のうちの一つをユーザが選択するための選択オプションを、デバイス1に用意することができる点である。
【００６９】
リマインダ情報REMには、データ記憶媒体2に現在記録されているビデオフィルムが再生されたか、または再生された回数を示す再現情報を含めることもできる点も、さらに述べておくべき点である。これに関連して、デバイス1に関連してさらに述べることができる点は、まだ再生されていないビデオフィルムの上書きが防止される点である。この結果として、コンテンツタイプに関して常に最新に維持されるビデオフィルムのライブラリを、データ記憶媒体2上に利用可能にすることが可能となる。この場合、再現情報を考慮して、ビデオフィルムを選択的に上書きすることができる。
【００７０】
さらに述べておくべき点は、入力されたコンテンツタイプ選択情報CSIに一致するコンテンツを表すコンテンツ信号CSを受信手段8が受信する場合に、デバイス1に入力することのできるコンテンツタイプ選択情報CSIに応じて、オーディオ再現の応答および/またはビデオ再現の応答を特定のコンテンツタイプに合致させるように、および/または、専用メニューアイテムまたはインターネットサイトへのリンクなどの表示オプションを提供するように、制御式にデバイス1を設計することができる点である。
【００７１】
さらに述べておくべき点は、デバイス1は、データ記憶媒体2に格納されているコンテンツタイプ選択情報CSIとリマインダ情報REM（該当時）とを、ユーザの要件に応じて修正するように設計することもできる点である。
【００７２】
さらに述べておくべき点は、データ記憶媒体2は、コンパクトディスク（CD）によって、または電気接続部を備えている半導体メモリによって実現することもでき、データ記憶媒体アクセス手段11は、この種類のデータ記憶媒体2と対話するように設計することができる点である。
【００７３】
さらに述べることができる点は、デバイス1とデータ記憶媒体2において本発明によって講じられている方策と、本発明による方法は、子供の保護を目的として使用することができる点である。特に、データ記憶媒体アクセス手段11によって入力されるコンテンツタイプ選択情報CSI（本例においては子供にやさしいコンテンツタイプを選択するために設けられている）が存在するときに、受信手段8が、子供にやさしいコンテンツタイプに割り当てられていないコンテンツを表すコンテンツ信号CSの受信（手動で調整される受信を含む）を有効にしない場合である。
【図面の簡単な説明】
【００７４】
【図１】本発明の第一実施例によるデバイスをブロック図の形式で示している。
【図２】光学式に走査することができ、図1によるデバイスにおいて使用することのできるデータ記憶媒体を、略図的に示している。
【図３】本発明の第二実施例によるデバイスを、図1と似た形式で示している。
【図４】テレビ番組シリーズについて、三つの異なる放送局の番組予定を図表形式で示している。
【符号の説明】
【００７５】
1  デバイス
2  データ記憶媒体
3  放送局
4  伝送デバイス
5  伝送アンテナ構造
6  コンテンツタイプ情報データ源
7  データネットワーク
8  受信手段
9  入力手段
10  受信アンテナ構造
10  再現手段
11  データ記憶媒体アクセス手段
11A  アクセスシャフト
11B  記録手段
11C  再現手段
12  トラック
13  識別データ領域
14  記録データ領域
15  リマインダデータ領域
16  アクセス制御段
18  信号/データ変換手段
19  データ/信号変換手段
20  受信段
21  調整段
23  通信段
CS  コンテンツ信号
S  伝送信号
RI  要求情報
RD  記録データ
WI  記録情報
PI  読み出し情報
WD  再現データ
C  調整信号
CSI  コンテンツタイプ選択情報
CI1、CI2  コンテンツタイプ情報
SI1、SI2  識別データ
REM  リマインダ情報
P1、P2、P3、P4、P5、P6、P7、P8、P9  ポイント
E1、E2、E3  エピソード
T1〜T7  時刻
WE1〜WE3  再放送
D1〜D5  日
【図１】
2005519536.tif 000003
【図２】
2005519536.tif 000004
【図３】
2005519536.tif 000005
【図４】
2005519536.tif 000006
【国際調査報告】
2005519536.tif 000007
2005519536.tif 000008